(57)【要約】【課題】インクジェットプリンタで連続印刷する場合、記録ヘッドが吐出した累積画素数がある一定値に達するとヘッドのクリーニング動作を実行するようにしているが、高分解能化と幅広化が進んでくると記録ヘッドを細分化した各々の部位に着目しないと健全な画質を維持できない懸念がある。【課題を解決するための手段及び作用】印刷装置の記録ヘッドを構成する記録素子群を任意分割数にて分割し、各々の記録素子群にて記録される総画素数をページ毎に累計するカウンタと、複数ページに渡る累積値をさらに計数する第２のカウンタを持ち第２のカウンタと所定値を比較してクリーニングを行うか否かを判断するようにした。記録ヘッドの各部位の印刷デューティを調べてよりきめ細かいクリーニング動作を実行でき、画質の信頼性が向上する。【選択図】    図１
2004351657.tif 000002
【特許請求の範囲】
【請求項１】
記録装置に記録データを送信する印刷プログラムと、前記記録装置の記録ヘッドを構成する記録素子群を任意分割数にて分割し、
分割された前記各々の記録素子群にて記録される画素数を累計する第１のカウンタ群と、前記第１のカウンタ群各々の累計値を更に累積する第２のカウンタ群とを備えることを特徴とする記録システム。
【請求項２】
前記第１のカウンタ群に累計される記録画素数は、記録媒体１頁分に該当する値であることを特徴とする請求項１に記載の記録システム。
【請求項３】
前記第２のカウンタ群に累計される記録画素数は、記録媒体複数頁分に該当する値であることを特徴とする請求項１に記載の記録システム。
【請求項４】
前記第１のカウンタ群を前記印刷プログラムに、前記第２のカウンタ群は前記記録装置に備えたことを特徴とする請求項１から３に記載の記録システム。
【請求項５】
前記第１のカウンタ群に累計された記録画素数を前記記録装置に送信することを特徴とする印刷プログラム。
【請求項６】
前記第２のカウンタ群の内少なくとも一つが所定値を超えたら前記記録ヘッドのクリーニング動作を実行することを特徴とする記録装置。
【請求項７】
前記記録ヘッドを複数備えたことを特徴とする請求項６に記載の記録装置。
【請求項８】
前記クリーニング動作はワイパブレードによる清廉化動作を含むことを特徴とする請求項６に記載の記録装置。
【請求項９】
前記クリーニング動作実行後前記第２のカウンタ群の値を初期値にクリアすることを特徴とする請求項６から８に記載の記録装置。
【発明の詳細な説明】
【０００１】
【産業上の利用分野】
本発明は、記録装置の特性に適合した画素数を求め、画質に対する信頼性を高めた記録システム、印刷プログラム、及び記録装置に関するものである。
【０００２】
【従来の技術】
通常、印刷装置により印刷される画像情報を生成する目的で画像処理装および印刷プログラムに入力される画像は、Ｒ（赤）、Ｇ（緑）、Ｂ（青）の３つの信号から構成され、３色はそれぞれ画像を形成する画素毎に複数ビットの情報量を持ち、その情報量は１色あたり８ビット（０〜２５５）の場合が多い。
【０００３】
また画像処理装置および印刷プログラムにおいて先述の入力とするＲＧＢ信号は、記録装置特有の信号に変換される。
具体的には、記録装置が記録ヘッドＣ（シアン）、Ｍ（マジェンタ）、Ｙ（イエロー）、Ｋ（ブラック）の４色を用いて記録媒体上に画像を形成する場合、画像処理装置および印刷プログラムはＲＧＢ信号をＣＭＹＫ信号に変換を行なう。
【０００４】
更に記録「装置がインクジェット記録装置に代表される記録媒体上に記録材を付与する（＝１）、付与しない（＝０）の２通りの記録手段しか持たない場合、ＣＭＹＫ信号に変換された情報量を（０／１）の二値に変換することが多い。
この処理を二値化処理と呼び、既に公知の技術である。
【０００５】
また、記録材の付与手段が２通り以上の場合、該組み合わせに準じたｎ値化処理を行なえばよい。
【０００６】
このとき、ｎ値化処理により記録ヘッドを構成する複数の記録素子が記録媒体上に記録材を付与する、しないという情報より、記録素子が記録媒体上に記録材を付与する事を示す箇所をＣＭＹＫ信号別にカウントすることにより、累積的な記録画素情報を得ることができる。
【０００７】
記録不良現象に対する従来の回避方法として、記録動作開始してから記録ヘッドがどれだけのインク吐出を行なっているかを知る為、記録ヘッド毎に累積的な記録ドット数をカウントし、この値がある所定値に達したら記録動作を中断して回復動作を行なっていた。（例えば特許文献１参照）
【特許文献１】
特開平８−１３２６４８（第１頁、図３）
【０００８】
【発明が解決しようとする課題】
しかし、近年のインクジェット記録装置では印刷速度向上に起因して、記録ヘッドを構成する記録素子数が増加する傾向にあり、ＣＭＹＫ信号（記録ヘッド）単位のドットカウント情報では、記録ヘッドの使用状態を正確に示しているとは言えない場合があった。
【０００９】
例えば記録ヘッドの特定領域に記録画素が集中している場合には比較的早い時間にクリーニングすべきであるが、遅れがちであり、一方記録画素が記録領域全般に分散している時にはクリーニング感覚が早すぎるという難点がある。
【００１０】
【課題を解決するための手段および作用】
上記目的を達成するため、本出願に係わる第１の発明による記録システムは、
記録装置に記録データを送信する印刷プログラムと、前記記録装置の記録ヘッドを構成する記録素子群を任意分割数にて分割し、
分割された前記各々の記録素子群にて記録される画素数を累計する第１のカウンタ群と、前記第１のカウンタ群各々の累計値を更に累積する第２のカウンタ群とを備えることを特徴とする。
【００１１】
本出願に係わる第２の発明による記録システムは、
前記第１のカウンタ群に累計される記録画素数は、記録媒体１頁分に該当する値であることを特徴とする。
【００１２】
本出願に係わる第３の発明による記録システムは、
前記第２のカウンタ群に累計される記録画素数は、記録媒体複数頁分に該当する値であることを特徴とする。
【００１３】
本出願に係わる第４の発明による記録システムは、
前記第１のカウンタ群を前記印刷プログラムに、前記第２のカウンタ群は前記記録装置に備えたことを特徴とする。
【００１４】
又、本出願に係わる第５の発明による印刷プログラムは、
前記第１のカウンタ群に累計された記録画素数を前記記録装置に送信することを特徴とする。
【００１５】
又、本出願に係わる第６の発明による記録装置は、
前記第２のカウンタ群の内少なくとも一つが所定値を超えたら前記記録ヘッドのクリーニング動作を実行することを特徴とする。
【００１６】
本出願に係わる第７の発明による記録装置は、
前記記録ヘッドを複数備えたことを特徴とする。
【００１７】
本出願に係わる第８の発明による記録装置は、
前記クリーニング動作はワイパブレードによる清廉化動作を含むことを特徴とする。
【００１８】
本出願に係わる第９の発明による記録装置は、
前記クリーニング動作実行後前記第２のカウンタ群の値を初期値にクリアすることを特徴とする。
【００１９】
【発明の実施の形態】
本発明を実施した記録システム、印刷プログラム、及び記録装置の実施形態を以下に図を用いて詳細に説明する。
【００２０】
本発明の印刷プログラムを搭載する情報処理装置の電気的なブロック図を図１に示す。
【００２１】
情報処理装置には中央演算装置１０１により制御されるＲＡＭ１０２、ＲＯＭ１０３、記憶装置１０４、標準入出力１０５、通信装置１０９より構成され記憶装置１０４は、主にハードディスク装置、フレキシブルディスク装置等が接続される。
【００２２】
印刷プログラムは、前記記憶装置１０４、もしくはＲＯＭ１０３の記憶媒体内にプログラムとして格納されており、該プログラムを中央演算装置１０１からアクセス可能なプログラム格納領域であるＲＡＭ１０２にロードすることにより実行される。
【００２３】
また印刷プログラムは、情報処理装置に接続された通信装置１０９を利用し、ネットワーク経由で取得しても構わない。
【００２４】
印刷プログラムの形態は記憶媒体の種類に依存せず、情報処理装置の中央演算装置１０１が該プログラムを実行可能にする記録媒体の読み込み手段が具備されていれば本発明は適用可能である。
【００２５】
標準入出力１０５には、情報処理装置を制御するキーボード、マウスに代表される入力デバイス、コンピュータの出力を表示するモニタに代表される出力デバイスが接続され、該入出力装置を用いて情報処理装置もしくは印刷プログラムを制御、操作する。
【００２６】
情報処理装置で動作する印刷プログラムにより生成された印刷情報は、通信装置１０９を経由して、印刷装置１１０に送られる。
【００２７】
通信装置１０９は、主にパラレルインターフェースや、シリアルインターフェース、ＵＳＢ、ＩＥＥＥ１３９４、或いはネットワーク等の通信デバイスを利用し、印刷装置１１０と接続される。
【００２８】
次に、情報処理装置により本発明の印刷プログラムによる印刷方法に関して図２を用いて説明する。
【００２９】
情報処理装置は、接続された多様な装置を制御するために通常、ＯＳ（オペレーティングシステム）と呼称されるソフトウェアに基づき動作する。
【００３０】
そのためコンピュータ装置上でＯＳが動作している環境では、ソフトウェアプログラムは該ＯＳの提供するプログラミング環境上で動作することが前提となる。
本実施例では、該ＯＳをＭｉｃｒｏｓｏｆｔ  Ｗｉｎｄｏｗｓ（ＴＭ）であるとして説明を行なう。
【００３１】
アプリケーションプログラム２０１により印刷装置１１０にて印刷したい画像を生成し、印刷を実行する場合、入力画像情報（１）２０２は、アプリケーションプログラム２０１より、ＯＳのグラフィック処理プログラム（Ｇｒａｐｈｉｃ  Ｄｅｖｉｃｅ  Ｉｎｔｅｒｆａｃｅ）２０３を経由してデバイスドライバ２１５へと送られる。
【００３２】
このとき、デバイスドライバ２１５は、印刷装置１１０で印刷可能な印刷情報を生成することよりプリンタドライバと呼称される。
【００３３】
プリンタドライバ２１５は、グラフィック処理プログラム（Ｇｒａｐｈｉｃ  Ｄｅｖｉｃｅ  Ｉｎｔｅｒｆａｃｅ）２０３より、入力画像情報を受け取り、レンダリング処理部２０４にて、印刷装置固有の解像度への画像変換、印刷装置１１０に装填されている印刷媒体の情報を基に画像サイズの変換処理等を行い、入力画像情報（２）２０５を得る。
【００３４】
入力画像情報（２）２０５は、色補正処理部２０６により、印刷装置１１０が具備する記録ヘッド分の画像情報に分離し、印刷装置固有の色変換処理（例えばＲＧＢ⇒ＣＭＹＫ）を施した後、出力画像情報（１）２０７を出力する。
【００３５】
出力画像情報（１）２０７は、ｎ値化処理部２１０で使用するハーフトーン処理の処理方法に依存する階調特性や、印刷装置１１０で印刷される記録媒体、記録ヘッド等の特性に依存した非線形な階調特性を再度、線形な階調特性に変換するために出力階調補正部２０８により、変換された出力画像情報（２）２０９を得る。
【００３６】
出力画像情報（２）２０９は、ｎ値化処理部２１０にて印刷装置１１０が有する記録ヘッドの各インク色に相当するｎ値化処理を行い、出力画像情報（３）２１１を出力する。
【００３７】
出力画像情報（３）２１１は、コマンド生成部２１２で印刷装置１１０が受信可能な印刷情報形式のコマンド２１３に変換後、通信装置１０９を介して印刷装置１１０に転送される。
【００３８】
次に色補正処理部、出力階調補正部、ｎ値化処理部について図３を用いて詳細に説明する。
【００３９】
先ず図３Ａにおいて、レンダリング処理部２０４によって生成された入力画像情報（２）２０５は、ＲＧＢ３色から構成され、色補正処理部２０６で、ＣＭＹＫ（シアン、マジェンタ、イエロー、ブラック）４色に変換が行われる。
【００４０】
本実施例で使用する印刷装置は、通常のＣＭＹＫに加えてシアン、マジェンタの記録濃度より約１／２となるような記録濃度の低い淡シアン、淡マゼンタの記録材を併せて具備しているため、色補正処理部２０６は、ＲＧＢ→ＣＭＹＫｃｍ変換（小文字のｃｍはそれぞれ淡シアン、淡マゼンタ記録材に相当する）を行うことになる。
【００４１】
印刷装置がＣＭＹＫｃｍ（６色）の記録材を具備する場合でも、印刷内容によってはＣＭＹＫ（４色）のみで印刷する場合や、何れかの記録材１色のみで印刷することもあるので、その場合印刷内容に対応した出力画像情報（１）２０７が生成される。
【００４２】
色補正処理部２０６により印刷装置１１０で使用する記録材に対応する出力画像情報（１）２０７は、前記の理由により、出力階調補正２０８を行なう必要があり、色補正処理部２０６と同様に出力階調補正テーブル３０１を参照し変換を行う。
【００４３】
この際、印刷時に使用する記録材の種類がＣＭＹＫｃｍの６色で構成されている場合、記録媒体に記録材を最後に付与する記録ヘッドの色情報の階調特性を補正し、記録材種類が６色以外の場合には出力階調補正のみ実行して出力画像情報（２）２０９を生成する。
【００４４】
出力画像情報（２）２０９は、ｎ値化処理部２１０により印刷装置を構成する記録ヘッドの記録材付与組み合わせに相当する値にｎ値化処理マスクテーブル３０２を用いて変換される。
【００４５】
本実施例においては、印刷装置を構成する記録ヘッドの記録材付与組み合わせは、記録材を付与する、しないの２通りしかなく、２値となるため、２値化処理が行われる。つまり本実施例でｎ値化処理部２１０は多値情報を２値化する２値化処理部２１０といえる。
【００４６】
本発明による各ブロックの総画素数カウンタの操作はｎ値化処理部２１０で図３Ｂの如く行われるが、詳細は後述する。
【００４７】
ｎ値化処理部２１０により生成された出力画像情報（３）２１１はコマンド変換部へと渡され印刷装置で印刷可能な印刷情報となる。
【００４８】
次に前述の処理により生成された印刷情報を本実施形態で用いた印刷装置で印刷した場合について図４を用いて説明する。
【００４９】
印刷装置１１０は記録媒体にブラックインクを付与するブラックヘッド４０３、同じくシアンインク用のシアンヘッド４０４、マゼンタインク用マゼンタヘッド４０５、イエローインク用イエローヘッド４０６を具備し、ＣＭＹＫ４色によりカラー印刷する。
【００５０】
記録ヘッド４０３〜４０６はラインヘッドタイプで記録媒体４０７搬送方向に対して垂直に配置され、記録媒体の連続的な搬送に同期して記録媒体上に画像形成する。
【００５１】
各記録ヘッドが有する複数の記録素子による最大記録幅は、用紙幅方向の印刷可能領域より大きく設計される。
【００５２】
出力画像情報（３）４０１は、ｎ値化処理部２１０にて変換、復元されたもので、復元後の出力画像情報（３）４０１は、各記録ヘッドに対応した２値化画像情報４０２であり、印刷装置１１０に搭載された記録ヘッド４０３〜４０６により、該２値化画像情報に基づき各色のインクが記録媒体に付与されて画像形成される。
【００５３】
本発明による画像データとページ毎の累積画素数の相関について図５に説明する。
【００５４】
記録装置１１０は、ラインヘッド５０１が有する１，２００ｄｏｔ分（＃１〜＃１２００）のノズル列５０２から選択的にインクを吐出することによって各々のページ、例えば５１０、５１１のように異なった画像データを連続的に記録可能である。
【００５５】
画像データの内例えば５０３は各ページ共同じ内容であるが、５０４は次のページになると５０６のように変化し、且つイメージ部分５０５も次のページでは５０７に変わる。
【００５６】
従って、１００ノズルずつに分割された各々のブロック＃１〜＃１２にて吐出される各ページ５１０，５１１の総画素数も図５−２の５１２、５１３に示す如くページ毎に変化する。
【００５７】
２値化画像情報２１１の内、記録剤（インク）の吐出を示す「１」の総数をカウントすることにより、記録媒体上に形成される総画素数を得ることができる。
【００５８】
具体的な総画素数のカウント方法について、図３に戻って説明する。
【００５９】
図３Ｂはｎ値化（２値化）処理部２１０にて実行される総画素数カウントのフローである。
【００６０】
先ず、ｎ値化（２値化）処理部２１０で現在処理中の注目ｄｏｔ＃（本実施例では各々の記録ヘッド４０３〜４０６が持つインク吐出ノズル＃１〜＃１２００の内、１つのノズル＃に該当）を１つのブロックを構成するノズル（Ｎｏｚｚｌｅ）数（本実施例では１００ノズル）で割り、その商：Ｗを求め（Ｓ３５１）、２値化処理の結果、注目ｄｏｔに画素があるか（出力画像情報が１であるか）を判定、有りなら（Ｓ３５２−Ｙｅｓ）、総画素数カウンタ＃Ｗのカウント値をインクリメント（＋１）する。
【００６１】
例えば２値化処理している注目ｄｏｔ＃が＃１１２０であると、Ｗ：１１（１，１２０／１００の商）になり、このｄｏｔに画素があれば、総画素数カウンタ＃１１の値をインクリメントする。
【００６２】
以上説明したような各ブロック総画素数を記録装置１１０に転送すれば、記録装置側においてこれらの情報を様々に活用できる。
【００６３】
例示すると、記録ヘッド５０３が健全なる記録動作を継続可能か否かを判定する基準に用いる場合や、ブロック総画素数５１２、５１３を全て加算し、記録ヘッド５０３の総画素数にして、記録剤の使用量を推定することや、記録ヘッド５０１を健全な状態に維持するリフレッシュ（クリーニング）動作の要否判定材料にもなり得る。
【００６４】
次に前述のブロック総画素数情報５１２、５１３を含み、記録装置１１０に転送するデータ内容に関して図６を用いて説明する。
【００６５】
印刷装置への転送データ領域として情報処理装置内ＲＡＭ１０２の所定領域に確保される。
【００６６】
共通情報である１本の記録ヘッド内で分割されたブロック数を示す分割ブロック数格納エリア６０１、及び１ブロックの記録素子数を示すブロック幅格納エリア６０２、それに記録ヘッド毎に独立したページ毎のブロック総画素数情報、及び記録ヘッドのブロック毎の総画素数を格納したブロック総画素数情報エリア６０３で構成されている。
【００６７】
ページ単位のブロック総画素数情報エリア６０３は、内部的に記録ヘッド分（色数）６０４に分割され、全記録ヘッド分のブロック総画素数６０５、及び記録ヘッド総画素数情報６０６が格納されている。
【００６８】
これらの情報を受信する記録装置１１０にはブロック総画素数６０５を更に累積していくブロック累積総画素数６０７、総画素数６０６を累積する累積総画素数６０８の記憶領域を有する。
【００６９】
本実施例では累積総画素数６０８は後述する記録装置１１０側のＲＡＭ７０５に記憶される。
【００７０】
続いて記録装置側の電気的なブロック図を図７に示す。
【００７１】
ホストコンピュータ７００は、前述のブロック総画素数情報５０８の転送後さらに印刷（記録）に使用する記録データを記録装置のインタフェース部７０２に転送して記録開始を指示する
また、記録する記録媒体の枚数、及び記録媒体の種類やサイズ等を指示するコマンドをインタフェース部７０２に転送して指示できる。
【００７２】
ＣＰＵ（中央演算処理装置）７０１はブロック総画素数情報、記録データの受信、記録動作、記録媒体のハンドリング等全般の制御を掌る演算処理装置でＲＯＭ７０３に記憶され、後述のフローを実行する制御プログラムに基づいて制御を実行する。
ＣＰＵ７０１はブロック総画素数情報を受信後、記録データの各色成分のイメージデータをイメージＲＡＭ７０４にビットマップ展開して描画する。
【００７３】
記録前の動作処理としてＣＰＵ７０１は入出力ポート（Ｉ／Ｏ）７０７、モータ駆動部７０８を介して記録ヘッド４０３〜４０６のクリーニング機構を駆動するためのキャッピングモ−タ７１０、及びヘッドＵ／Ｄモータ７１１を相互に駆動、記録ヘッド４０３〜４０６をキャッピング位置から記録位置へ移動させる。尚ここで、より高画質を実現する記録ヘッドの別な構成として前述の如く淡シアン用、淡マジェンタ用の記録ヘッド７１７、７１８を追加して備えることもある。
【００７４】
ほぼ同時に記録媒体４０７を給紙するための給紙モータ７１３、そして搬送モータ７０９によって搬送部を駆動し記録媒体４０７を記録（印刷）位置に搬送する。
【００７５】
定速度で搬送される記録媒体４０７の記録タイミングを決定するために用紙先端検知センサ７１４で用紙の先端位置を検出する。用紙搬送に同期して、ＣＰＵ７０１はイメージＲＡＭ７０４から対応する色のイメージデータを順次読み出し、記録ヘッド制御回路７１６を介して、対応する色のインクを吐出する記録ヘッド４０３〜４０６、及び７１７，７１８にデータ転送し、カラー記録する。
【００７６】
ポンプモータ７１２は不図示のインクカートリッジから各々の記録ヘッドにインクを供給するポンプを駆動する。
【００７７】
操作パネル７１５はインク無し、用紙切れ等、警告等の表示、また、リセット等の操作を行なう部分である。ＣＰＵ７０１の動作はプログラムＲＯＭ７０３に記憶された処理プログラムに基づき実行される。
【００７８】
本発明に関わるブロック総画素数６０５を更に累積していくブロック累積総画素数６０７、総画素数６０６を累積する累積総画素数６０８の記憶領域はワークＲＡＭ７０５内に確保され、保存、或いは加算、累積される。
【００７９】
ＥＥＰＲＯＭ７０６は不揮発性のメモリで、記録ヘッド相互の微小記録位置調整値等装置特有のパラメータを保存する。
【００８０】
本発明に関わる情報処理装置の印刷プログラム、記録装置が、ブロック累積総画素数データを扱う処理方法について図８のフローを用いて説明する。
【００８１】
情報処理装置のＣＰＵ１０１によりジョブ開始の指令が送られると（Ｓ８０１）、記録装置１１０のＣＰＵ７０１は記録動作の準備を開始（Ｓ８５０）、続いて情報処理装置から１ページ目のブロック総画素数データが送信され（Ｓ８０２）、記録装置１１０で受信後、ＲＡＭ７０５に保存される（Ｓ８５１）。
【００８２】
これらの値は又、それまで全て零クリアされていたブロック累積総画素数データ６０７に加算される（Ｓ８５２）。
【００８３】
そして１ページ目の記録データが送信され（Ｓ８０３）、記録装置内部のイメージＲＡＭ７０４に展開されると（Ｓ８５３）、次にブロック累積総画素数の最大値：Ｎを抽出し（Ｓ８５４）、所定値Ｍと比較する（Ｓ８５５）。
【００８４】
もし、ブロック累積総画素数の最大値：Ｎが所定値Ｍを上回った場合（Ｓ８５５−Ｙｅｓ）、ＣＰＵ７０１は一旦記録動作を中断し、記録ヘッド４０３〜４０６及び７１７、７１８のクリーニング動作する（Ｓ８５８）。
【００８５】
具体的には例えば、記録ヘッドのノズル列５０２部分をワイパブレードによりワイプし、ノズル列近傍を清廉化する。
【００８６】
ブロック累積総画素数の最大値：Ｎが所定値Ｍを超えると記録ヘッドの当該ブロックにおけるインクの吐出総量が所定量となり近傍にインク滴などが成長し、健全な記録性能を阻害する懸念があるため、上記クリーニングが必要になる。
【００８７】
クリーニング動作が完了すると、ブロック累積総画素数データをクリアし（Ｓ８５９）、ＣＰＵ７０１は情報処理装置に次のページのデータ要求する（Ｓ８６０）。
【００８８】
Ｓ８５５にて、ブロック累積総画素数の最大値：Ｎが所定値Ｍを上回っていなければ（Ｓ８５５−Ｎｏ）、記録動作を実行して（Ｓ８５６）、次に所定枚数の記録が完了したかを調べる（Ｓ８５７）。
【００８９】
完了していなければ（Ｓ８５７−Ｎｏ）、次のページのデータを要求する（Ｓ８６０）。
【００９０】
データ要求を受信すると（Ｓ８０４−Ｙｅｓ）、情報処理装置のＣＰＵ１０１はＳ８０２に戻って次のページデータを送信する。
【００９１】
以上のステップを繰り返し、所定枚数の記録が完了したら（Ｓ８５７−Ｙｅｓ）、ＣＰＵ７０１は記録動作を終了する。
【００９２】
上記所定値Ｍの値はインクの色によって変えることもある。インク色によって記録材料が異なるからである。
【００９３】
又記録装置の置かれた環境条件によってもＭの値は異なることになろう。
【００９４】
【発明の効果】
以上説明したように、本発明によれば、
印刷装置の記録ヘッドを構成する記録素子群を任意分割数にて分割し、
各々の記録素子群にて記録されるページ毎の画素数を累計するカウンタと、
前記カウンタ値をページ単位に加算、累計することによって、記録ヘッドの各部位の印刷実績を調べることが出来る。
【００９５】
即ち、記録ヘッドのよりきめ細かいクリーニング動作を実行でき、画質の信頼性が向上する。
【００９６】
【図面の簡単な説明】
【図１】本発明の実施例に係わる印刷プログラムを適用可能な情報処理装置と印刷装置との概略図である。
【図２】本発明の実施例に係わるコンピュータ装置で動作する印刷プログラムの各処理と、各処理に対応する画像情報を示す処理フロー図である。
【図３】本発明の実施例に係わるコンピュータ装置で動作する印刷プログラムの色補正処理部、出力階調補正部、ｎ値化処理部の詳細に示した処理フロー図である。
【図４】本発明の実施例に係わる出力画像情報と記録装置に搭載された記録ヘッドとの関係を示した説明図である。
【図５】本発明の実施例に係わる記録ヘッドのブロック分けと各ブロックの総画素数を示す図である。
【図６】本発明の実施例に係わるページ毎の総画素数の内容と累積総画素数データを示す説明図である。
【図７】本発明を実施した記録装置の電気的なブロック図である。
【図８】本発明を実施した情報処理装置の印刷プログラムと記録装置の相互動作フローを示す図である。
【符号の説明】
１０１・・・情報処理装置内中央演算装置（ＣＰＵ）
１０２・・・情報処理装置内ＲＡＭ
１０３・・・情報処理装置内ＲＯＭ
１０４・・・情報処理装置内記憶装置
１０５・・・情報処理装置内標準入出力
１０６・・・キーボード
１０７・・・マウス
１０８・・・モニタ
１０９・・・コンピュータ装置内通信装置
１１０・・・記録装置
２０１・・・アプリケーションソフトウェア
２０２・・・アプリケーションソフトウェア生成ＲＧＢ入力画像情報
２０３・・・コンピュータ装置で稼働するＯＳのグラフィック描画エンジン
２０４・・・プリンタドライバ内レンダリング処理部
４０３・・・記録ヘッド（ブラック）
４０４・・・記録ヘッド（シアン）
４０５・・・記録ヘッド（マジェンタ）
４０６・・・記録ヘッド（イエロー）
４０７・・・記録媒体
５０１・・・記録ヘッド
５０２・・・ノズル列
７００・・・情報処理装置
７０１・・・ＣＰＵ
７０２・・・インタフェースコントローラ
７０３・・・プログラムＲＯＭ
７０５・・・ワークＲＡＭ
７１７・・・記録ヘッド（淡シアン）
７１８・・・記録ヘッド（淡マジェンタ）
【図１】
2004351657.tif 000003
【図２】
2004351657.tif 000004
【図３】
2004351657.tif 000005
【図４】
2004351657.tif 000006
【図５】
2004351657.tif 000007
【図６】
2004351657.tif 000008
【図７】
2004351657.tif 000009
【図８】
2004351657.tif 000010